(57)【特許請求の範囲】
【請求項１】
回転羽根の前方で中心軸線から偏心した静止部分に空気をマイナスイオン化するためのイオン化電極を取付けた扇風機において、扇風機が回転羽根の前方に回転式ルーバーを有するボックス式のものであり、モーターを収容する駆動部がボックス形フレーム中央の円形孔内に複数本のアームを介して取付けられ、上記モーターの回転軸の後方突出部に回転羽根が、また前方突出部に減速ギアを介して回転ルーバーがそれぞれ接続されており、上記のイオン化電極が薄いリボン状金属板を断面Ｌ字形に屈曲し、その折り目の片側縁部に沿って複数の山形突起を形成したものであり、このイオン化電極が上記複数本のアームの上記回転羽根のボスよりも半径方向外側の羽根片と対向する部分に固定されていることを特徴とする扇風機。
【請求項２】
モーターを収容する駆動部が上下左右の４本のアームを介して取付けられ、イオン化電極が左右のアームの上面に固定され、かご形カバーで被覆されている請求項１記載の扇風機。
【発明の詳細な説明】
【０００１】
【発明の属する技術分野】
この発明は、マイナスイオン発生機能を備えた扇風機に関するものである。
【０００２】
【従来の技術】
マイナスイオン発生機能を備えた扇風機として、合成樹脂塗料にトルマリン粉末を配合し、この塗料を扇風機の羽根に塗布したもの（特開平１１−３１１２００号公報参照）、およびトルマリンを含有する多孔質のセラミック球多数個をハニカム状の通気性支持体に埋め込み、この支持体を扇風機の前部ガード中央に取付けると共に扇風機の羽根や前部ガードにトルマリン含有塗料を塗布したもの（特開２０００−１１０７７５号公報参照）が知られている。
【０００３】
しかしながら、トルマリン粉末を塗料の形で用いた場合は、トルマリン粉末が塗料中の合成樹脂膜で被覆されて空気に直接触れないため、またトルマリンのセラミック球をハニカム状の通気性支持体に埋め込んだ場合は、該支持体の壁が空気の流通を阻害するため、いずれもマイナスイオン化の機能が不十分になるという問題があった。
【０００４】
【発明が解決しようとする課題】
この発明は、室内空気のマイナスイオン化機能に優れ、マイナスイオンの作用で室内の煙草の煙や悪臭を消すことができ、細菌類を死滅させることもできる扇風機を提供するものである。
【０００５】
【課題を解決するための手段】
この発明では、回転羽根の前方で中心軸線から偏心した静止部分にイオン化電極を取付ける。ただし、扇風機として、回転羽根の前方に回転式ルーバーを有するボックス式のもので、モーターを収容する駆動部がボックス形フレーム中央の円形孔内に複数本のアームを介して取付けられ、上記モーターの回転軸の後方突出部に回転羽根が、また前方突出部に減速ギアを介して回転ルーバーがそれぞれ接続されたものを用いる。また、上記のイオン化電極として、薄いリボン状金属板を断面Ｌ字形に屈曲し、その折り目の片側縁部に沿って複数の山形突起を形成したものが用いられ、このイオン化電極が上記複数本のアームの上記回転羽根のボスよりも半径方向外側の羽根片と対向する部分に固定される。
【０００６】
上記の扇風機において、回転羽根を通常の駆動手段で回転させ、イオン化電極にマイナス数千ボルトの電圧を印加すると、回転羽根の回転で生じる風がイオン化電極の作用でマイナスイオン化され、このマイナスイオンが室内に広がり、室内空気中に混在する雑菌を死滅させたり、煙草その他の悪臭を消したりして室内空気を爽やかにする。この場合、イオン化電極が回転羽根の前方で中心軸線から偏心した静止部分、好ましくは回転羽根のボスよりも半径方向外側の羽根と対向する部分に取付けられるので、回転羽根の中心軸線を囲んでイオン化電極を複数個取付けることができ、またイオン化電極を中心軸線上に位置させた場合に比べ、１個当たり風通過量が多くなり、それだけ空気を大量にイオン化することができる。
【０００７】
家庭用の扇風機としては、柱状のスタンド上端に回転羽根を首振り可能に設けた首振り式と、回転羽根をボックス形のフレームの中央の円形孔内に回転軸の傾斜角度を調節可能に収容し、前方に回転ルーバーを設けて風を旋回させるものが一般的であるが、この発明では後者を用いる。そして、イオン化電極は、上記回転羽根の前方、すなわち風の通る側であって、中心軸線から偏心した位置、好ましくは回転羽根のボスよりも半径方向外側の羽根片と対向する部分であれば、任意の位置に取付けることができる。
【０００９】
ボックス式の扇風機の場合は、モーターを収容する駆動部がボックス形フレームの中央の円形孔内に複数本のアームを介して取付けられ、駆動部に収容されたモーターの回転軸の後方突出部に回転羽根が、また前方突出部に減速ギアを介して回転ルーバーがそれぞれ接続されているので、上記のアームにイオン化電極を固定することができ、この場合も、従来のモーター支持用アームを利用できる点で好ましい。
【００１０】
上記のイオン化電極は、針や三角形の角のように先端が尖った導電体であれば任意であるが、その複数本を任意間隔で立設し、これらを導電体で接続し、その一端にマイナス数千ボルトの電源コードを接続することができ、この場合は１本の独立した針電極に比してマイナスイオン化の機能が向上する点で好ましい。そして、１枚の薄いリボン状金属板の片側縁部に沿って複数の山形突起を形成してイオン化電極としたものは、構造が簡単な点で好ましい。また、上記のリボン状金属板を断面Ｌ字形に屈曲し、折り目の片側に多数の切込みをいれて三角形のイオン化電極を複数形成したものは、強度が向上する点で特に好ましい。
【００１１】
上記のイオン化電極は、必要に応じ、合成樹脂等の電気絶縁性材料からなる支持体を介して扇風機に取付けられる。この支持体は、イオン化電極に扇風機の風を当てることが可能であれば、構造は任意である。そして、イオン化電極は、かご形のカバーで被覆することが、取扱い、安全および外観等の面から好ましい。
【００１２】
なお、上記扇風機の前方部分、例えば前部ガードや回転ルーバーに、上記のイオン化電極と併設する形で小型のかご形ケースを固定し、その中に活性石粉末からなる多数個の球状成形体を入れて、イオン化電極によるイオン化を助けることができる。この活性石は、二酸化硅素およびアルミナを主成分とし、二酸化チタンその他種々の金属酸化物を微量成分として含んでいる点で、組成的には石英斑岩、花崗岩、麦飯石、トルマリン（電気石）、安山岩、流紋岩、泥岩、砂岩等の通常の岩石と同様のものであるが、その中で特定の地域で産出するものは、遠赤外線放射性や抗菌・消臭性および微弱磁場形成能等を備えていて、この岩石の粉末または該粉末の成形品で水や空気を処理して動物や植物に与えることにより、これら生物細胞を活性化できるものとして注目されている。特に大分県祖母山系で産出する天降石と呼ばれる岩石は、上記の生物細胞の活性化機能に特に優れる点で好ましい。
【００１３】
上記の活性石は、粉砕され、得られた粉末を水溶性セルロース粉末と混合し、次いで水を添加、混合し、得られた泥状物を直径２〜１０mm、好ましくは２〜５mm程度の球形に成形し、乾燥した後、焼結し、これによっていわゆるセラミックボールを製造し、このセラミックボールの形で使用される。また、上記の活性石粉末を石灰およびソーダ灰と混合して球状に成形して使用することもできる。また、上記の活性石粉末を合成樹脂またはその発泡体からなる直径２〜１０mmの球体表面に膜状に固着してセラミックボールとしてもよい。そして、上記のセラミックボールは、その多数個をそれぞれがほぼ全表面を露出させる形で配置することにより、空気をマイナスイオン化することができ、前記イオン化電極の働きを補助する。
【００２３】
【発明の実施の形態】
図１は、ボックス扇風機３０の一例を示す。３１はそのボックス形フレームであり、中央に大きい円形孔３１ａが中心線を前後方向（図４の左を前、右を後とする）に向けて貫通状に設けられている。なお、この円形孔３１ａは、内面が球面に形成されている。そして、上記フレーム３１の下部には足３１ｂが設けられ、上部には空洞部３１ｃが形成され、この空洞部３１ｃ内にスイッチや変成機等の制御用機器（図示されていない）が、またフレーム３１の上面に操作用の押しボタン（図示されていない）がそれぞれ配設される。
【００２４】
上記円形孔３１ａの内側に円形孔３１ａと同心の球面からなるシェル状の内側フレーム３２が紙面に垂直な幅方向軸（図示されていない）を支点にして傾斜を調節できるように設けられ、この内側フレーム３２の中心に上下左右のアーム３２ａを介して駆動部３３が固定され、この駆動部３３内に収容されたモーター（図示されない）の回転軸の前方突出部３４ａに減速歯車３５を介して回転ルーバー３６の中央円板３６ａが固定され、後方突出部３４ｂに回転羽根３７のボス３７ａが固定され、さらに上記内側フレーム３２の後縁に後部ガード３８が固定される。この後部ガード３８は、放射状に並ぶ多数本のスポークで構成され、中心部に中央円板３８ａを備えている。
【００２５】
そして、この実施形態では、上下左右の合計４本のアーム３２ａ中、左右２本のアーム３２ａの上面に前記のイオン化電極２１および該イオン化電極２１を被覆するかご形カバー２３Ａが固定される。すなわち、上記のアーム３２ａは、図３に示すように、電気絶縁性のプラスチックによって円筒状に形成されており、その上面にイオン化電極２１が固定される。このイオン化電極２１は（図２参照）、薄いリボン状金属板の両端部２１ａを除く中央部分を断面Ｌ字形に屈曲して折り目２１ｂの片側を起こし、この折り目の片側縁部に切込みを入れて三角形の山部２１ｃおよび谷部２１ｄを形成し、平坦な両端部２１ａをアーム３２ａに固定し、その一方を電源に接続するようにしたものである。そして、かご形カバー２３Ａは、プラスチック製のかご形の半円筒部２３ｄと脚部２３ｅとからなり、半円筒部２３ｄにイオン化電極２１の山部２１ｃと対向して横孔２３ｆが開口し、脚部２３ｅによって上記アーム３２ａに固定される。
【００２６】
上記の構造において、シェル状の内側フレーム３２は、図１の左右に手動で回すことにより、すなわち水平方向のアーム３２ａと同心の支点の回りに回すことにより、回転羽根３７の向きを上下に変えることができる。そして、電源スイッチを閉じると、回転羽根３７が回転し、風が回転ルーバー３６を通過して前方に送られ、同時に回転ルーバー３６がゆっくり回転して風向きが円形に変更される。また、イオン化電極２１にマイナス４０００ボルトが印加されると、イオン化電極２１を通過する風がイオン化され、回転ルーバー３６の前方に向かい、扇風機３０を置いた室内空気中のマイナスイオンを増加させる。
【００２７】
この実施形態の装置において、イオン検知器（キョウリツエレクトロニクス株式会社製「エアーイオンカウンターＫＥＣ−８００」）を手で持ち、回転ルーバー３６の表面からの距離を１０cmに保ちながら上下左右に移動させてマイナスイオンの検出試験を行ったところ、ほぼ全域でマイナスイオンの個数が１cm3 当り１００万個以上となり、特に左右のイオン化電極２１の正面では最大の１３０万個以上を示した。
【００２８】
【発明の効果】
上記のとおり、請求項１に係る発明は、扇風機を置いた室内の空気中に多量のマイナスイオンを送って煙草の煙や悪臭を消すことができ、また細菌類を死滅させることができ、また電極の構造が簡単となり、イオン化機能および強度が向上する。特に請求項２に係る発明は、取扱い、安全および外観の面で好ましい。
【図面の簡単な説明】
【図１】実施形態の縦断面図である。
【図２】イオン化電極の斜視図である。
【図３】実施形態の要部の斜視図である。
【符号の説明】
２１：イオン化電極
２１ａ：端部、２１ｂ：折り目、２１ｃ：山部、２１ｄ：谷部
２３Ａ：かご形カバー、２３ｄ：半円筒部、２３ｅ：脚部、２３ｆ：横孔
３０：ボックス扇風機
３１：ボックス形フレーム、３１ａ：円形孔、３１ｂ：足、３１ｃ：空洞部
３２：内側フレーム、３２ａ：アーム
３３：駆動部、３４ａ：モーター回転軸の前方突出部、３４ｂ：後方突出部
３５：減速歯車、３６：回転ルーバー、３６ａ：中央円板
３７：回転羽根、３７ａ：ボス
３８：後部ガード、３８ａ：中央円板
【図１】
0003768456.tif 000002
【図２】
0003768456.tif 000003
【図３】
0003768456.tif 000004